(57)【特許請求の範囲】
【請求項１】
送信機（１）が、ある範囲のＴＶサービスを構築する多重化信号を生成し、
前記送信機（１）は、複数の受信機（３）に向けて前記生成された多重化信号を送信し、
この送信される前記多重化信号は、ＴＶ視聴者にＴＶプログラムを供給するのに利用されることがある主信号と、前記ＴＶ視聴者に各ＴＶプログラムに関する情報を供給するための、各受信機により利用されることがある補助信号とからなり、
補助信号は補助データをコーディングしたもので、この補助データは、それぞれがＴＶプログラムに関連し、多様な記述子カテゴリ（サービス，日付，時間帯，プログラムなど）を含んだセットに編成される記述子からなり、
前記記述子セットは、様々な記述子カテゴリの異なる第１および第２の階層化された分類（サービス，日付，時間帯，プログラムなど；主題，サービス，日付，時間帯など）によってそれぞれ定義された、少なくとも２つの可能なアクセスモードのいずれか一つにより、ＴＶ視聴者に対し選択的にアクセス可能にされ、
前記記述子セットはデータベースを構成しており、第１の階層化された分類に従って、そこにある記述子がカテゴリにより分類されるディジタルテレビジョン放送方法において、
補助データはさらに少なくとも一つの第１の冗長データテーブルを備えていて、この第１の冗長データテーブルは、全ての記述子セットの各サブセットを含んでいると共に、少なくとも一つのカテゴリの記述子を排除しており、
これらの各サブセットの記述子が、前記第１の冗長データテーブルにて、第２の階層化された分類（主題，サービス，日付，時間帯など）に基づきカテゴリにより区分されることを特徴とするディジタルテレビジョン放送方法。
【請求項２】
前記受信機は、第２の可能なアクセスモードに基づき、ＴＶ視聴者に対し記述子セットをアクセスできるようにさせるために、第１の冗長データテーブルに含まれる少なくとも記述子の部分をデータベース内の検索座標として利用することにより、第１の冗長データテーブルから排除された各カテゴリの記述子をデータベースから検索することを特徴とする請求項１記載のディジタルテレビジョン放送方法。
【請求項３】
第１の冗長データテーブルの記述子が第１の最大フォーマットであるとし、第１の冗長データテーブルから削除されたデータベースの記述子が第２の最大フォーマットであるとすると、第２の最大フォーマットが第１の最大フォーマットよりも多いことを特徴とする請求項１または２記載のディジタルテレビジョン放送方法。
【請求項４】
前記データベースの記述子が、ＴＶサービスおよび日付時間順として区分されることを特徴とする請求項１〜３のいずれか一つに記載のディジタルテレビジョン放送方法。
【請求項５】
第１の冗長データテーブルから排除された記述子が、ＴＶプログラムの要約からなることを特徴とする請求項１〜４のいずれか一つに記載のディジタルテレビジョン放送方法。
【請求項６】
第２の階層化された分類が、最上位にある階層の記述子カテゴリとしてプログラムの主題を利用したことを特徴とする請求項１〜５のいずれか一つに記載のディジタルテレビジョン放送方法。
【請求項７】
第２の階層化された分類が、最上位にある階層の記述子カテゴリとして、予約モードを利用したことを特徴とする請求項１〜６のいずれか一つに記載のディジタルテレビジョン放送方法。
【請求項８】
前記受信機は、第１の階層化された分類により規定されるアクセスモードに加えて、いくつかの冗長データテーブルを、可能な限り多くの記述子セットのアクセスモードをＴＶ視聴者に提供するのに利用することを特徴とする請求項１〜７のいずれか一つに記載のディジタルテレビジョン放送方法。
【請求項９】
複数の受信機（３）に多重化信号からなるディジタル信号を生成し送信して、ある範囲のＴＶサービスを構築する手段を備え、
この送信信号は、ＴＶ視聴者にＴＶプログラムを供給するための、各受信機で利用することができる主信号と、前記ＴＶ視聴者にＴＶプログラムに関する情報を供給するための、各受信機で利用することができる補助信号とにより構成され、
補助信号は補助データをコーディングしたもので、この補助データは、それぞれがＴＶプログラムに関連し、多様な記述子カテゴリ（サービス，日付，時間帯，プログラムなど）を含んだセットに編成される記述子からなり、
前記記述子セットは、様々な記述子カテゴリの異なる第１および第２の階層化された分類（サービス，日付，時間帯，プログラムなど；主題，サービス，日付，時間帯など）によってそれぞれ定義された、少なくとも２つの可能なアクセスモードのいずれか一つにより、ＴＶ視聴者に対し選択的にアクセス可能にされ、
前記記述子セットはデータベースを構成しており、第１の階層化された分類に従って、そこにある記述子がカテゴリにより分類され、
補助データはさらに少なくとも一つの第１の冗長データテーブルを備えていて、この第１の冗長データテーブルは、全ての記述子セットの各サブセットを含んでいると共に、少なくとも一つのカテゴリの記述子を排除しており、
これらの各サブセットの記述子が、前記第１の冗長データテーブルにて、第２の階層化された分類（主題，サービス，日付，時間帯など）に基づきカテゴリにより区分されることを特徴とするディジタルテレビジョンネットワーク装置（１）。
【請求項１０】
第１の冗長データテーブルにあらわされていない各カテゴリの記述子を、データベースから検索可能にする検索座標を、第１の冗長データテーブルに含まれる少なくとも記述子の部分が構成することを特徴とする請求項９記載のディジタルテレビジョンネットワーク装置。
【請求項１１】
第１の冗長データテーブルの記述子が第１の最大フォーマットであるとし、第１の冗長データテーブルから排除されたデータベースの記述子が第２の最大フォーマットであるとすると、第２の最大フォーマットが第１の最大フォーマットよりも多いことを特徴とする請求項９または１０記載のディジタルテレビジョンネットワーク装置。
【請求項１２】
前記データベースの記述子が、ＴＶサービスおよび日付時間順として区分されることを特徴とする請求項９〜１１のいずれか一つに記載のディジタルテレビジョンネットワーク装置。
【請求項１３】
第１の冗長データテーブルから排除された記述子が、ＴＶプログラムの要約からなることを特徴とする請求項９〜１２のいずれか一つに記載のディジタルテレビジョンネットワーク装置。
【請求項１４】
第２の階層化された分類が、最上位にある階層の記述子カテゴリとしてプログラムの主題を利用したことを特徴とする請求項９〜１３のいずれか一つに記載のディジタルテレビジョンネットワーク装置。
【請求項１５】
第２の階層化された分類が、最上位にある階層の記述子カテゴリとして、予約モードを利用したことを特徴とする請求項９〜１４のいずれか一つに記載のディジタルテレビジョンネットワーク装置。
【請求項１６】
第１の階層化された分類により規定されるアクセスモードに加えて、可能な限り多くの記述子セットのアクセスモードをＴＶ視聴者に提供するのに、いくつかの冗長データテーブルを備えたことを特徴とする請求項９〜１５のいずれか一つに記載のディジタルテレビジョンネットワーク装置。
【請求項１７】
多重化信号からなるディジタル信号を受信して、ある範囲のＴＶサービスを構築する手段を備え、
前記信号は、ＴＶ視聴者にＴＶプログラムを供給するための、受信する前記ディジタルテレビジョンネットワーク装置（３）で利用することができる主信号と、前記ＴＶ視聴者にＴＶプログラムに関する情報を供給するための、受信する前記ディジタルテレビジョンネットワーク装置（３）で利用することができる補助信号とにより構成され、
補助信号は補助データをコーディングしたもので、この補助データは、それぞれがＴＶプログラムに関連し、多様な記述子カテゴリ（サービス，日付，時間帯，プログラムなど）を含んだセットに編成される記述子からなり、
前記記述子セットは、様々な記述子カテゴリの異なる第１および第２の階層化された分類（サービス，日付，時間帯，プログラムなど；主題，サービス，日付，時間帯など）によってそれぞれ定義された、少なくとも２つの可能なアクセスモードのいずれか一つにより、ＴＶ視聴者に対し選択的にアクセス可能にされ、
前記記述子セットはデータベースを構成しており、第１の階層化された分類に従って、そこにある記述子がカテゴリにより分類され、
補助データはさらに少なくとも一つの第１の冗長データテーブルを備えていて、この第１の冗長データテーブルは、全ての記述子セットの各サブセットを含んでいると共に、少なくとも一つのカテゴリの記述子を排除しており、
これらの各サブセットの記述子が、前記第１の冗長データテーブルにて、第２の階層化された分類（主題，サービス，日付，時間帯など）に基づきカテゴリにより区分され、
前記受信したディジタル信号により冗長データテーブルを処理する手段を備えたディジタルテレビジョンネットワーク装置（３）。
【請求項１８】
前記ディジタルテレビジョンネットワーク装置で受信したＭＰＥＧ２  ＴＳフォーマットの合成した前記信号の中で、ユーザが選択したアクセスモードに関係する前記冗長データテーブルを取得し、この冗長データテーブルから記述子サイトを検索し、これらのサイトにより、前記ＭＰＥＧ２  ＴＳフォーマットの合成した前記信号にて取得した全データベース内で検索された記述子に直接アクセスすることで、前記冗長データテーブルの処理が行なわれることを特徴とする請求項１７記載のディジタルテレビジョンネットワーク装置（２）。
【発明の詳細な説明】
本発明は、今後のＴＶ（テレビジョン）としてのディジタルテレビジョン放送方法に関する特徴の一つであって、これはある範囲のＴＶサービスを構築する多重化信号を、送信機が複数の受信機に対し放送を行なうもので、送信信号は、ＴＶ視聴者にＴＶプログラムを供給するための、各受信機により利用される可能性がある主信号と、そのＴＶプログラムに関する情報をＴＶ視聴者に供給するための、各受信機により利用される可能性がある補助信号とにより構成される。
【０００１】
より特別には、本発明は、一つのＴＶプログラムに対してそれぞれ関連し、多様な記述子のカテゴリ（範疇）を含んだセット（組）に編成された記述子からなる補助データを、補助信号が符号化する方法に関連しており、これにより記述子の前記セットは、様々な記述子カテゴリの第１および第２の異なる階層化された分類によってそれぞれ定義された、少なくとも２つの可能なアクセスモードのいずれか一つにより、ＴＶ視聴者に対し選択的にアクセス可能にされると共に、記述子セットはデータベースを構築して、第１の階層化された分類にしたがって、そこにある記述子がカテゴリにより分類される。
【０００２】
この一般的定義を満たすディジタルＴＶ放送方法は、規格化されたＩＳＯ ＭＰＥＧ２やＥＴＳＩサービス情報において、ＩＳＯ−ＩＥＣ  １３８１８−１の「技術情報−  動画およびそれに連携する音声の一般的なコーディング勧告  Ｈ．２２２．０（システム）」や、ＥＮ  ３００  ４６８の「ディジタルビデオ放送（ＤＶＢ）−ＤＶＢシステムにおけるサービス情報（ＳＩ）の仕様」や、ＥＴＲ２１１の「ディジタルビデオ放送（ＤＶＢ）−サービス情報の実行と使用におけるガイドライン」の各文書にとりわけ詳しく記述される。
【０００３】
図１の概念図は、ディジタルＴＶプログラムとサービスを放送するのに使用される様々な装置を示している。
【０００４】
送信サイト１は、ＭＰＥＧ２／ＥＴＳＩ規格に基づき符号化されたディジタルＴＶサービスを構築するために、音声，テレビ映像およびデータのメッセージフローの多重化を可能にする装置組立体からなる。
【０００５】
これらのサービスは、ＭＰＥＧ２移送多重通信方式により放送され、各多重通信方式は１２以上のサービスを処理することができる。
【０００６】
放送ネットワーク２は、衛星，ケーブル若しくはグランドラジオネットワークや、さらには送信サイトで製作された多重化信号による放送を可能にする装置組立体からなり、多重化の数はネットワークの種類により変化すると共に、おそらく１００のケーブルネットワークに対しては半分の数になる。
【０００７】
受信機すなわち受信端末３は、規定の放送ネットワークを通過した信号を復号化する装置からなり、ユーザーにディジタルＴＶサービスを提供するものである。
【０００８】
ディジタル世界において必要とする技術範囲で、非常に大容量のＴＶサービスを放送することが可能になるが、こうしたサービスは、プログラムを選択するユーザーを、利用可能とする提供者から彼／彼女に手助けするために、いわゆる「ＥＰＧタイプ」や、さらには「エレクトロニック  プログラム  ガイド」の各アプリケーションで利用される記述子データを伴なう。
【０００９】
こうした補助若しくは随伴データは、ＴＶ雑誌のデータと等価の役割であると仮定され、それ故にこうしたデータの目的は、進行中の各プログラムのスケジュールを記述すると共に、各ＴＶサービスに対するコンテンツと同等に達するものを記述することにある。
【００１０】
こうした補助データに含まれる記述子は、様々な情報のカテゴリに関連していると共に、とりわけどのサービスが何のプログラムや、こうしたプログラムが放送される日付および時間を提供するのか、またどのプログラムが何の主題に関係しているのかなどを、可能にすることが要求される。通常それぞれのＴＶ視聴者は、どのようなプログラムが同時に利用可能であるか、あるいはどの時間に好みの主題をプログラム上で見られるのかを知りたがっているＴＶ視聴者に依存して、例えば日付時間順若しくは主題（テーマ）によって、多様な記述子カテゴリの異なる階層化された分類に対応したいくつかの可能なアクセスモードに基づき、前記記述子にアクセスを行なっている。
【００１１】
記述子は、一つのＴＶプログラムに関係するそれぞれのセットに編成されていて、この記述子セットはデータベースを構築しており、初期設定（デフォルト）の階層化された分類に基づいて、各記述子がカテゴリ毎に分類されている。
【００１２】
実例として、ＥＮ  ３００  ４６８規格は、受信機が日付時間順の情報を入手可能にした場合の前記データベース構造を既定している。こうした構造は図２に概要が示されていて、これによりデータベースに対し受信機が日付時間順にアクセスすることを容易にしている。
【００１３】
実例として、翌日の20時30分からの全プログラムをＴＶ視聴者に見せるために、連続する日の時間帯＃７（18時00分〜20時59分）の全サービスに、受信機が直接アクセスすると、20時30分に始まる位置にて見付けられるプログラムに関係した全ての情報を表示する。
【００１４】
１日の長さを越えた一つのサービスを記述するのに必要な補助データ量は、１３．４キロオクテットと概算される。
【００１５】
上記記述に戻り、一つのマルチプレックス（多重化）に対するサービス数が１０であり、一つのネットワークに対するマルチプレックス数が５０であると仮定すると、補助データベースの容量は約６．５メガオクテットになり、４日に跨る記述子の長さでは、約２６メガオクテットになることが容易に概算される。
【００１６】
ここで解決するべき問題点とは、いくつかのアクセスモードに沿ったサービスの全アヴェイラビリティ（利用可能度）、すなわち、例えば日付時間順のアクセスモードだけでなく、主題や予約による区分のような別の利用可能なモードを、一つの受信機が認識するような手法で、全情報量を処理することである。
【００１７】
これには現在３つの解決法が知られている。
【００１８】
最初の解決法は、補助データベースを送信すると共に、ＴＶ視聴者が選択した特定のアクセスモードに基づくＴＶプログラム記述子を表示できるように、この補助データベースを各受信機毎で検索することである。
【００１９】
データベース量を考慮すると、この解決法は、受信機での消費処理する高度な情報を要求する。
【００２０】
したがって、高度な処理パワーが装備された受信機では、コストが非常に高くなるか、あるいは普通の処理パワーだけが装備された受信機では、ＴＶ視聴者が選択したフォームによるサービスをあらわすのに、ＴＶ視聴者の待ち時間が受け入れられないような長さになる。
【００２１】
第２の解決法は、階層を元に戻さなければならない順番に、受信機が直接情報を受信する手法で、データベースに含まれる記述子カテゴリの階層を各時間で変える間に、同一のデータベースにおける全て可能な限りの組み合せを放送することである。
【００２２】
データベース量を考慮すると、この解決法は一方で、放送中に非常に高価なバンドパスを必要とする。
【００２３】
第３の解決法は、とりわけ第２の解決法に累積して、放送中にサービス提供の一部分に関連する記述子だけで構成することであるが、この解決法は明らかに、それ自体が満足の行かないものになる。
【００２４】
こうした技術状況から考えて、本発明の目的は、様々な異なるアクセスモードに沿って提供された全サービスを、一つの受信機にて利用可能にする一方で、低い処理能力の受信機を考慮して、しかも放送の情報フローの増加を制限することにある。
【００２５】
【課題を解決するための手段】
さらに本発明の方法は、上記前提部分に引用される一般的定義に従っていると共に、前記補助データが、第１の階層化された分類に従って、各記述子がカテゴリにより区分されるデータベースに加えて、少なくとも一つの冗長（redundant）データからなる第１の冗長データテーブルを備え、この冗長データは、全ての記述子セットの各サブセットを含んでいると共に、少なくとも一つのカテゴリの記述子を排除しており、これらの各サブセットの記述子が、第１の冗長データテーブルにて、第２の階層化された分類に基づき、カテゴリにより区分される。
【００２６】
この場合、第２の階層化された分類に基づき、カテゴリにより区分された記述子にアクセスすることで、ＴＶ視聴者による最小の検索すら必要とせず、全ての記述子が自動的に利用可能となるはずであり、第１の冗長データテーブルに含まれる少なくとも記述子の部分をデータベース検索座標（coordinate）として利用することにより、第１の冗長データテーブルから排除された各カテゴリの記述子を、データベースから検索するであろう。
【００２７】
仮に、冗長テーブルからなる第１の冗長データテーブルの記述子と、第１の冗長データテーブルから排除されたデータベースの記述子とによりそれぞれ提示される最大フォーマット，最大長若しくは最大量が、第１の最大フォーマットおよび第２の最大フォーマットと呼ばれ、好ましくは第２の最大フォーマットが第１の最大フォーマットよりも上位になるように、第１の冗長データテーブルに含まれる記述子と、第１の冗長データテーブルから排除される記述子が選択されるならば、第１の冗長データテーブルから排除される記述子が特にＴＶプログラムの要約を構成する。
【００２８】
日付時間順のデータの卓越した有用性と、最も多く要求されるフォームで直接利用可能なデータの重大さとを同時に考えると、ＴＶサービスおよび日付時間順にデータベースの記述子を区分するのが有益である。
【００２９】
実例として、第２の階層化された分類は、最上位にある階層の記述子カテゴリとして、伝送する主題（テーマ）または予約モードを利用してもよい。
【００３０】
さらに、本発明による方法は、第１の階層化された分類により定義されるアクセスモードに加えて、ＴＶ視聴者に提供される記述子セットによる可能なアクセスモードが、できる限り多くの冗長データテーブルを利用して実行されることがある。
【００３１】
したがって本発明はさらに、複数の受信機に多重化信号からなるディジタル信号を生成し送信して、ある範囲のＴＶサービスを構築する手段を備え、その送信信号が、ＴＶ視聴者にＴＶプログラムを供給するための、各受信機で利用することができる主信号と、ＴＶ視聴者にＴＶプログラムに関する情報を供給するための、各受信機で利用することができる補助信号とにより構成され、補助信号は、ＴＶプログラムにそれぞれ関連し、多様な記述子のカテゴリを含んでいる各セットに編成された記述子からなる補助データをコーディング（符号化）し、前記記述子セットは、多様な記述子カテゴリからなる異なった第１の階層化された分類と、第２の階層化された分類とにより定義された、２つの可能なアクセスモードのどちらか一つに基づいて、ＴＶ視聴者により選択的にアクセスが可能であり、さらに記述子セットはデータベースを構成していて、そこにある記述子は、第１の階層化された分類に基づきカテゴリにより区分されており、補助データがさらに全ての記述子セットのサブセットをそれぞれ含んでいると共に、少なくとも一つのカテゴリの記述子を排除した少なくとも一つの第１の冗長データテーブルからなり、前記サブセットの記述子が、前記第１の冗長データテーブル内で、第２の階層化された分類に基づき、カテゴリにより区分されることを特徴としている。
【００３２】
好ましくは、この信号の第１の冗長データテーブルに含まれる少なくとも記述子の部分は、第１の冗長データテーブルから排除された各カテゴリの記述子を、データベースから検索可能にする検索座標を構成する。
【００３３】
第１の冗長データテーブルの記述子が、第１の冗長データテーブルから排除されたデータベース記述子の最大フォーマットよりも少ない最大フォーマットを示すように、前記信号が構築されれば有益である。
【００３４】
実例では、データベースの記述子が、ＴＶサービスおよび日付時間順に区分されると共に、ＴＶプログラムの要約が、好ましくは第１の冗長データテーブルから排除された記述子の部分となる。
【００３５】
実例では、第２の階層化された分類が、最上位の階層にある記述子カテゴリのような、プログラムの主題や予約の種類を利用してもよく、さらに多重化信号は、第１の階層化された分類により規定されたアクセスモードに加えて、可能な限り多くの記述子セットのアクセスモードをＴＶ視聴者に提供するために、いくつかの冗長データを付属的に備えている。
【００３６】
最後に本発明は、上述したようなディジタル信号を受信して処理する適当な手段を構成して定義されるディジタルＴＶネットワークに対する装置にも関連する。
【００３７】
本発明における上述および他の特徴は、後に続く実施例の記述と、それに関連する添付図面によって明確になるであろう。
【００３８】
【発明の実施形態】
すでに上述したように、本発明はディジタルＴＶ（テレビジョン）放送の技術に関するものであって、送信機１（図１参照）は様々なＴＶプログラムを構成する多重化信号を、符号３に示すような複数の受信機に送信する。
【００３９】
それ自体が知られている手法ではあるが、送信信号は、ＴＶ視聴者にＴＶプログラムの提供を供給するための、各受信機により利用される可能性がある主信号と、そのＴＶプログラムに関する情報を視聴者に供給するための、各受信機により利用することができる補助信号とにより構成される。
【００４０】
補助信号は、各セットに編成された記述子を含み、各記述子セットは、一つのＴＶプログラムに関連していると共に、様々なカテゴリの記述子を含んでいる。
【００４１】
図２〜図６は、「サービス」，「日付」，「時間帯」，「プログラム＃」，「プログラム名」，「開始時間」，「期間」，「要約／配役」，「主題」，「親コード」，「予約モード」と名付けられた、これらの記述子カテゴリの非制限的な例を示している。
【００４２】
より特別には、「サービス」とは、規定プログラムが利用できるサービスの確認に関連した記述子カテゴリにより一定に構築された名前である。
【００４３】
「日付」とは、規定プログラムが放送される日の確認に関連した記述子カテゴリにより一定に構築された名前である。
【００４４】
「時間帯」とは、規定プログラムが放送されるであろう期間の、３時間毎の時間帯数の確認に関連した記述子カテゴリにより一定に構築された名前である。
【００４５】
「プログラム＃」とは、ある時間帯内における規定プログラムの放送シーケンス（順序）に関連した記述子カテゴリにより一定に構築された名前である。
【００４６】
したがって、各々のプログラムは、これらの各カテゴリにおける記述子によって仮定された値のセットで完全に識別され、それゆえに前記値は、一つのプログラムから別のプログラムへと変化するものである。
【００４７】
図４を例にして、規定プログラムの確固たる疑う余地のない確認を可能にする各記述子が、「３」，「ワールドサッカーカップ」，「21時30分」，「２時間00分」，「ステード  ドゥ  フランスにて、フランスチーム対ブラジルチーム」などのような値であると仮定する。したがってこれらの値は、変わり得るその場の値であると共に、一般には様々なカテゴリの記述子によって表される。
【００４８】
図２および図３は、具体的に例示しておらず、「Ｓ１，Ｓ２，Ｓ３，Ｓｉ」,「Ｄ１,Ｄｄ」,「ＴＳ１，ＴＳ８」,「Ｐ１，Ｐ２，Ｐ５，Ｐｌ，Ｐｍ，Ｐｎ」,「ｎａｍｅ５」,「ＢＴ５」,「Ｄｕ５」,「ＡＣ５」,「ＴＨ１」,「ＰＳ５」,「ＳＭ５」のような名前が使用されるデータ構造が示されている。したがってこれらの名前は変わり得る名前で、様々なカテゴリの記述子によって一般に表される。
【００４９】
より特別には、「Ｓ１，Ｓ２，Ｓｉ」は、記述子カテゴリ「サービス」に関連する可変の名前である。
【００５０】
「Ｄ１，Ｄｄ」は、「日付」の記述子カテゴリに関連する可変の名前である。
【００５１】
「ＴＳ１，ＴＳ８」は、「時間帯」の記述子カテゴリに関連する可変の名前である。
【００５２】
「Ｐ１，Ｐ２，Ｐｋ，Ｐｌ，Ｐｍ」は、「プログラム＃」の記述子カテゴリに関連する可変の名前である。
【００５３】
「Ｎａｍｅ５」は、「プログラム名」の記述子カテゴリに関連する可変の名前である。
【００５４】
最後に、図５に関しては、本発明に開示する冗長データテーブルの構造が示されており、図６に関しては、本発明の開示に基づき再構築されるデータベース構造が示されている。ここで、「ＴＨ１，Ｓ３，Ｄ２，ＴＳ４，Ｐ５，Ｓ５，Ｄ１，ＴＳ２，Ｐ４」などのような名前は、一般に多様なカテゴリの記述子により示される変わり得る名前でもあるが、これらの各図において、具体例を挙げないように示されてはいるものの、具体例を挙げて示す値を再現したと思われる各値の名前であり、具体例を挙げて示す値は、その一般的な構造が図２に示されていると共に、部分的に拡大した詳細が図３に示されている特別なデータベースの出現中に、規定の記述子により具体的に仮定される。
【００５５】
本発明の目的は本質的に分かっているが、記述子セットを作成することからなり、これはＴＶプログラムの周辺でＴＶ視聴者に知らせるもので、図２〜図６に示すようないくつかのアクセスモードのどれに対しても、それに基づいて前記視聴者に選択してアクセスが可能であると共に、種々の記述子カテゴリからなる様々に階層化された分類によって定義される。
【００５６】
再度本質的に分かっている手法ではあるが、本発明は、それぞれがプログラムをドキュメントする記述子セットによるデータベースを、全ての受信機に向けて放送する必要があって、このデータベース内の前記記述子は、規定の階層化された分類に基づくカテゴリにより区分される。
【００５７】
図２は、標準となるＥＮ３００  ４６８に基づき、本発明で特化されたアプリケーションの場合を説明するもので、ここではデータベース記述子がＴＶサービスにより日付順に区分されている。
【００５８】
本発明によれば、送信機により受信機の一群に向けて放送される補助データは、図２のデータベースに加えて、図５で説明されるように全記述子セットの中で各々のサブセットを含んでいるものの、少なくとも１つのカテゴリの記述子を排除した少なくとも一つの冗長データテーブルを有していて、このサブセットの記述子は、データベースの記述子を決定したものとは異なる階層化された分類に基づき、カテゴリによって区分されている。
【００５９】
図５に示すように、図示されたテーブルの記述子は、「主題」，「サービス」，「日付」，「時間帯」，「プログラム＃」の各カテゴリに関連するが、「プログラム名」，「開始時間」，「期間」，「要約／配役」，「親コード」，若しくは「予約モード」の各カテゴリにおける表現は含まれていない。
【００６０】
各冗長データテーブルがデータベースにある記述子セットのサブセットだけを再度載せる範囲においては、このテーブルを放送することが、データベース自身を再配置したコピーを放送するものよりも、バンドパス中でより経済的になるであろう。
【００６１】
一般に、冗長データテーブルにて再度掲載されたデータの量、すなわち各冗長データテーブルの量は、そのテーブルから排除されたデータの量よりも実質的に制限されるであろう。
【００６２】
とりわけ、テーブル若しくは各テーブルに再度掲載される記述子によって提示された最大フォーマットは、そのテーブルから排除された記述子によって提示された最大フォーマットよりも、好ましくは少なく、さらにはずっと少なくなるであろう。
【００６３】
それにも拘わらず、各テーブルに関しては、各記述子がＴＶ視聴者により望まれる階層化された分類に基づき編成されると共に、データベースを構築するものとは異なることで、前記データベースと関連して新規で完全なデータベースの再構築が簡単に可能となる。この新規で完全なデータベースは、ＴＶ視聴者により望まれる階層化された分類に基づき、様々なカテゴリに関連する記述子がデータベース内で設計（コンフィギュア）される手法によって再配置されるであろう。
【００６４】
そのために、実際はデータベース内での検索座標として、冗長データテーブルに含まれる少なくとも記述子の部分を利用して、データテーブルから排除された各カテゴリの記述子を、データテーブルから検索すれば十分である。
【００６５】
この動作は、図３，図５および図６を組み合わせることで示され、図６は、検索アドレスとして利用される図５のテーブルの記述子を用いて、図２のデータベースから適切なデータを検索することで実行される完全データベースを示している。
【００６６】
この手法において、図６における再構築されたデータベースを供給するアクセスモードのような、全ての記述子における主題アクセスモードを提示するために、本発明では、冗長データテーブル（図５）により指示されるサイト（場所）で、日付時間順に編成されるデータベース記述子（図２）を、何セットも続けて抽出するための、図５に示すような各主題により編成された冗長データテーブルを利用する。
【００６７】
初期時において、一つのマルチプレックス（多重）に対するサービス数が１０であり、一つのネットワークに対するマルチプレックス数が５０であると仮定すると、規定の階層化された分類に関連する冗長データテーブルのデータ量は、一日に記述する範囲で約１００キロオクテットになると見積もられ、その結果こうしたテーブルによる放送が、新たなデータベースの放送の６５パーセントになってより経済的になる。
【００６８】
要約において、ユーザーにより選択されたアクセスモードがデータベース構造に一致すると、すなわち図２の例において、アクセスモードがプログラムの日付時間順を示すものに一致すると、前記データベースに含まれる記述子をユーザーに直接表示するために、受信機は自身が受信したＭＰＥＧ２  ＴＳ（Transport Stream）フォーマットの合成信号から、このデータベースの全部若しくは一部を取得する。
【００６９】
ユーザーにより選択されたアクセスモードがデータベース構造に一致しないものの、代わりに例えば出現したプログラムの主題が一致している場合には、受信機は受信した合成信号ＭＰＥＧ  ＴＳから、ユーザーにより選択されたアクセスモードに関連して、主題テーブルに現れた冗長データテーブルを取得し、重要プログラム（一致する主題と結合する放送番組の例えば日付と時間帯から構成されるキー）に関する詳細情報を明らかにした記述子のサイトをデータテーブルから検索し、ユーザーに記述子を直接提供するために、前記サイトに依頼して、合成信号ＭＰＥＧ  ＴＳに取得される全データベース内に求められる記述子を直接アクセスすべきである。
【００７０】
情報に対するアクセス時間を最小にするために、双方の場合において、この受信機内での２つの実行策、すなわち受信した信号フロー内におけるデータへの直接アクセスと、さもなければ受信機内におけるキャッシュ機能の据付けが、考慮されるであろう。
【００７１】
結果的に、本発明は複雑な検索アルゴリズムの利用や、追加のデータ処理リソースを必要とせず、しかも大容量データの放送を必要としない利点を提供するものである
【図面の簡単な説明】
【図１】  現行技術におけるディジタルテレビジョン放送の全体を実現する概略図である。
【図２】  １日および３時間のスロット毎に、記述子がプログラムによって序列を付けて分類されるデータベース構造の説明図である。
【図３】  図２の一部分を拡大した図である。
【図４】  図３の一部分の手順を詳細化した図である。
【図５】  本発明において実行されるような、冗長データテーブルからなる構造の説明図である。
【図６】  １日および３時間のスロット毎に、その記述子がプログラムによって序列を付けて分類される図２のデータベースから、図５におけるテーブルによって再構築される冗長データテーブルの構造を示す説明図である。
【符号の説明】
１  送信機
３  受信機
【図１】
0004877542.tif 000002
【図２】
0004877542.tif 000003
【図３】
0004877542.tif 000004
【図４】
0004877542.tif 000005
【図５】
0004877542.tif 000006
【図６】
0004877542.tif 000007